(57)【特許請求の範囲】
【請求項１】
原稿の読み取りを行って画像データを生成する読取部と、
ログアウトスキャンにより生成された原稿の画像データを記憶するために予め設定された記憶領域である共有領域を含む記憶部と、
ログアウト状態ではジョブ開始指示を受け付けないとともに、使用者を識別して認証するための識別情報の入力を受け付け、使用者を認証できたときログイン状態となり、前記ログイン状態では画像読取装置の機能を利用するための設定入力と機能の実行入力を受け付け、予め定められた条件が満たされると前記ログアウト状態となり、又、前記読取部のスキャンの実行指示を受け付けるためのスキャン開始キーを含む操作部と、
外部の情報処理装置と通信を行うための通信部を有し、
前記読取部は、前記ログアウト状態で前記スキャン開始キーが押されたとき、原稿の読み取りを行って画像データを生成するログアウトスキャンを行い、
前記記憶部は、前記共有領域に前記ログアウトスキャンにより生成された画像データを記憶し、前記通信部を介した外部の情報処理装置からの前記共有領域に記憶された画像データへのアクセスを受け付けることを特徴とする画像読取装置。
【請求項２】
前記読取部は、原稿の両面を読み取りを行うための両面読取機構を有し、前記ログアウトスキャンでは、前記両面読取機構を用いて原稿の両面の読み取りを行って、原稿の両面の画像データを生成し、
前記記憶部は、生成された原稿の両面の画像データを前記共有領域に記憶することを特徴とする請求項１記載の画像読取装置。
【請求項３】
画像データに対して画像処理を行う画像処理部を含み、
前記操作部は、前記記憶部に記憶された両面の画像データのうち、何れか１方の面のページを除去する入力を受け付け、
前記画像処理部は、前記記憶部に記憶された両面の画像データから、前記操作部に除去すると入力された面のページを一括して除去した画像データを生成することを特徴とする請求項２記載の画像読取装置。
【請求項４】
前記画像処理部は、前記ログアウトスキャンにより生成された画像データを記憶部に記憶するとき画像データに対して、前記ログイン状態で前記読取部が生成した画像データに対して施す複数種の画像処理のうち実行すると情報が復元できない予め定められた種類の画像処理を行わず、
前記記憶部は、予め定められた種類の画像処理が施されていない画像データを前記共有領域に記憶することを特徴とする請求項３に記載の画像読取装置。
【請求項５】
前記読取部は、カラーの画像データを生成し、
前記画像処理部は、前記ログアウトスキャンにより生成された画像データを記憶部に記憶するとき、画像データに対してグレー又は白黒２値の画像データとする画像処理を行わないことを特徴とする請求項４記載の画像読取装置
【請求項６】
前記画像処理部は、前記ログアウトスキャンにより生成された画像データを記憶部に記憶するとき、画像データに対してズームの画像処理を行わないことを特徴とする請求項４又は５に記載の画像読取装置
【請求項７】
前記画像処理部は、前記ログアウトスキャンにより生成された画像データを記憶部に記憶するとき、画像データに対してフィルターをかける画像処理を行わないことを特徴とする請求項４乃至６の何れか１項に記載の画像読取装置。
【請求項８】
前記操作部は、グレー又は白黒２値への色変換処理、ズーム処理、フィルター処理の何れか１つ又は複数を含む画像処理を行う指示入力を受け付け、
前記画像処理部は、前記記憶部に記憶された画像データに対して、前記操作部に指示入力された内容で画像処理を施すことを特徴とする請求項３乃至７の何れか１項に記載の画像読取装置。
【請求項９】
前記読取部は、前記操作部に設けられるキーの押下に応じ、原稿の片面を読み取るか、原稿の両面を読み取るかを切り替えることを特徴とする請求項１乃至８の何れか１項に記載の画像読取装置。
【請求項１０】
前記読取部は、前記操作部に設けられるキーの押下に応じ、読み取りでの解像度を切り替えることを特徴とする請求項１乃至９の何れか１項に記載の画像読取装置。
【請求項１１】
画像読取装置と、前記画像読取装置と通信可能に接続された情報処理装置とを含み、
前記画像読取装置は、
画像データを生成する読取部と、
画像データを記憶するとともに、ログアウトスキャンにより生成された原稿の画像データを記憶するために予め設定された記憶領域である共有領域を含む記憶部と、
ログアウト状態ではジョブ開始指示を受け付けないとともにログインを行うための認証情報の入力を受け付け、使用者を認証できたときログイン状態となり、前記ログイン状態では画像読取装置の機能を利用するための設定入力と機能の実行入力を受け付け、予め定められた条件が満たされると前記ログアウト状態となり、又、前記読取部のスキャンの実行指示を受け付けるためのスキャン開始キーを含む操作部と、
外部の情報処理装置と通信を行うための通信部を有し、を有し、
前記読取部は、前記ログアウト状態で前記スキャン開始キーが押されたとき、原稿の読み取りを行って画像データを生成するログアウトスキャンを行い、
前記記憶部は、前記共有領域に前記ログアウトスキャンにより生成された画像データを記憶し、前記通信部を介した前記情報処理装置からの前記共有領域に記憶された画像データへのアクセスを受け付け、
前記情報処理装置は、前記共有領域に記憶された画像データを取得し、取得した画像データに対し、画像処理を行うことを特徴とする画像読取システム。
【発明の詳細な説明】
【技術分野】
【０００１】
本発明は、認証機能を有し、原稿を読み取る読取部を含む複合機、複写機、ＦＡＸ装置等の画像読取装置や、画像読取装置と情報処理装置を含む画像読取システムに関する。
【背景技術】
【０００２】
一般に、複合機、複写機、ＦＡＸ装置等の画像形成装置は、画像読取装置を含む。そして、画像読取装置を用いて原稿を読み取ることで得られた画像データを用いた印刷や、コンピューター等への画像データの送信や、画像データのＨＤＤ等への蓄積がなされる。特に、複合機は多機能であるため、スキャンを行う場合でも複数の設定を行う必要があり、簡易にスキャンできるとは言い難い場合がある。そこで、この点に関し、特許文献１に記載されるような技術が存在する。
【０００３】
具体的に、特許文献１には、例えば、スキャン送信設定を遠隔的に登録できる画像入力装置に、遠隔的にスキャン送信設定を行うための情報処理装置であって、既存の文書データと前記画像入力装置とを関連づける関連づけ手段と、前記画像入力装置に関連づけられた前記文書データから、スキャン設定を抽出する抽出手段と、記憶手段において前記文書データの保存された場所をスキャンデータの保存場所として設定する設定手段と、抽出された前記スキャン設定および設定された前記保存場所を、前記画像入力装置に登録されるスキャン送信設定として前記画像入力装置に送信する手段とを備える情報処理装置が記載されている。この構成により、クライアントコンピュータで動作するアプリケーションを操作し、スキャンデータの保存場所とスキャン設定とを画像入力装置に簡単な操作で登録できるようにしようとする（特許文献１：請求項１、段落［００１０］等参照）。
【先行技術文献】
【特許文献】
【０００４】
【特許文献１】特開２０１０−０２１８９６号公報
【発明の概要】
【発明が解決しようとする課題】
【０００５】
複合機などの画像読取装置には、操作パネルが設けられる。そして、第三者による不正な利用を防ぎ、各使用者の使用実態を集計する等の目的で、使用者の認証（使用者の特定）を行う画像読取装置が存在する。認証では、例えば、使用者は、操作パネルに、ユーザー名やユーザーＩＤやパスワード等の使用者を識別するための識別情報を入力する。そして、画像読取装置側は、予め記憶する認証用の情報の一部と操作パネルに入力された識別情報が合致したとき、使用者が認証できたと判断し、ログイン状態となる。ログイン状態では、操作パネルは、設定やジョブの実行を受け付ける。言い換えると、ログインしなければ、例えば、スキャンの設定やスキャンの実行指示を行えない。
【０００６】
そして、各使用者はログイン状態となれば、自己の所望するスキャンを行うため各種の設定を行う。例えば、使用者は、スキャンにより得られた画像データの格納先や送信先（宛先）や、スキャンでの解像度や、読み取りでのカラー設定等の各種設定を行う。
【０００７】
このように、使用者の認証を行う複合機のような画像読取装置では、操作パネルに対して、多種の入力を行って初めてスキャンを行える状態となる。しかし、ログインのための入力やスキャンの設定にある程度長い時間を要するので、画像読取装置を使用したい他の使用者は、待つ必要がある。更には、操作パネルに搭載される表示部（例えば、液晶パネル）に、スキャン実行結果のプレビュー画像を表示するものも存在する。このプレビュー画像の表示は、設定の正しさを確認する点で有用であるが、スキャンの設定開始から実行開始指示を入力するまでの時間を長引かせる要因となる。
【０００８】
そのため、従来、ログイン入力の開始からスキャン実行開始を指示するまで、多くの入力が必要であり、プレビュー画像の確認時間などを含めると、待ち時間が長くなる。そのため、画像読取装置の稼働率やオフィスでの生産性が低下しているという問題がある。
【０００９】
ここで、特許文献１記載の発明によれば、予め情報処理装置でスキャンデータの保存場所とスキャン設定を登録できるようにすることで、複合機のような画像読取装置でのスキャンの設定に要する時間の短縮化を図れる可能性がある。しかし、特許文献１記載の技術の場合でも、画像読取装置を利用する場合、ログインのための入力（認証を受ける入力）を操作パネルに行う必要となることがある。又、登録した設定を呼び出す入力も必要となる。又、登録した設定に誤りや設定内容の追加、変更したい場合、再度、情報処理装置で設定を行うか、あるいは、画像読取装置で設定を行う必要がある。又、プレビュー画像を確認する場合もある。
【００１０】
そのため、特許文献１記載の発明でも、スキャンの設定は簡易化されるものの、スキャンを行うにはある程度の入力を要するという問題がある。又、設定のやり直し等により、次の使用者の待ち時間は、長くなることがある。従って、画像読取装置の稼働率が低下し、オフィスでの生産性が低下の点で問題が残り、上記の問題を解決できない。
【００１１】
本発明は、上記従来技術の問題点に鑑みてなされたものであり、ログアウト状態でも簡易にスキャン可能とすることで、ログイン入力の開始からスキャン実行開始を指示するまでの時間を大幅に短縮し、画像読取装置の稼働率を向上させ、オフィスでの生産性を高めることを課題とする。
【課題を解決するための手段】
【００１２】
上記課題解決のため、請求項１に係る画像読取装置は、原稿の読み取りを行って画像データを生成する読取部と、ログアウトスキャンにより生成された原稿の画像データを記憶するために予め設定された記憶領域である共有領域を含む記憶部と、ログアウト状態ではジョブ開始指示を受け付けないとともに、使用者を識別して認証するための識別情報の入力を受け付け、使用者を認証できたときログイン状態となり、前記ログイン状態では画像読取装置の機能を利用するための設定入力と機能の実行入力を受け付け、予め定められた条件が満たされると前記ログアウト状態となり、又、前記読取部のスキャンの実行指示を受け付けるためのスキャン開始キーを含む操作部と、外部の情報処理装置と通信を行うための通信部を有し、前記読取部は、前記ログアウト状態で前記スキャン開始キーが押されたとき、原稿の読み取りを行って画像データを生成するログアウトスキャンを行い、前記記憶部は、前記共有領域に前記ログアウトスキャンにより生成された画像データを記憶し、前記通信部を介した外部の情報処理装置からの前記共有領域に記憶された画像データへのアクセスを受け付けることとした。
【００１３】
この構成によれば、読取部は、ログアウト状態でスキャン開始キーが押されたとき、原稿の読み取りを行って画像データを生成するログアウトスキャンを行い、記憶部は、共有領域にログアウトスキャンにより生成された画像データを記憶する。これにより、ログアウト状態でもログインのための入力や記憶先や設定先などの各種設定を操作部に入力すること無しに、スキャン開始キーを押すだけでスキャンを開始することができる。又、読取部により得られた原稿の画像データは、共有領域に記憶されるので、使用者を特定したり、記憶先や設定先を設定する必要もない。従って、使用前の認証を行う（ログインする必要がある）画像読取装置であっても、スキャン開始キーのワンタッチ動作のみでスキャンを開始でき、画像読取装置の操作部に対する入力の作業時間を最短化することができる。そのため、画像読取装置を使用したい次の使用者の待ち時間が極めて短くなり、画像読取装置の稼働率が向上し、オフィスでの生産性が高まる。又、この構成によれば、記憶部は、通信部を介した外部の情報処理装置からの共有領域に記憶された画像データへのアクセスを許可する。これにより、ログアウトスキャンを行った使用者は、ログアウトスキャンにより得られた画像データを自己の情報処理装置に取り込むことができる。言い換えると、画像読取装置で送信先を設定し、自己の情報処理装置にログアウトスキャンにより得られた画像データを送信するといった入力、設定作業を画像読取装置で行わずに済む。従って、画像読取装置の前での入力、設定作業を行う時間を減らすことができ、画像読取装置の稼働率が向上し、オフィスでの生産性が高まる。
【００１４】
又、請求項２に係る発明は、請求項１の発明において、前記読取部は、原稿の両面を読み取りを行うための両面読取機構を有し、前記ログアウトスキャンでは、前記両面読取機構を用いて原稿の両面の読み取りを行って、原稿の両面の画像データを生成し、前記記憶部は、生成された原稿の両面の画像データを前記共有領域に記憶することとした。
【００１５】
両面読取可能な画像読取装置では、ログアウト状態でスキャン開始キーが押されたとき、原稿の両面読取を行いたい使用者もいる。そこで、この構成によれば、ログアウトスキャンでは、両面読取機構を用いて原稿の両面の読み取りを行って、原稿の両面の画像データを生成し、記憶部は、生成された原稿の両面の画像データを共有領域に記憶する。これにより、ログアウト状態でもスキャン開始キーを押すだけで、複雑な設定を行うことなく原稿の両面読取を行うことができる。
【００１６】
又、請求項３に係る発明は、請求項２の発明において、画像データに対して画像処理を行う画像処理部を含み、前記操作部は、前記記憶部に記憶された両面の画像データのうち、何れか１方の面のページを除去する入力を受け付け、前記画像処理部は、前記記憶部に記憶された両面の画像データから、前記操作部に除去すると入力された面のページを一括して除去した画像データを生成することとした。
【００１７】
本発明の両面読取可能な画像読取装置では、ログアウト状態でスキャン開始キーが押されたとき原稿の両面読取がなされるが、片面のみの読み取りを行いたい使用者もいる。そこで、この構成によれば、操作部は、記憶部に記憶された両面の画像データのうち、何れか１方の面のページを除去する入力を受け付け、画像処理部は、記憶部に記憶された両面の画像データから、操作部に除去すると入力された面のページを一括して除去した画像データを生成する。これにより、原稿の両面読取で得られた画像データのうち、一方の面を指定するだけで、原稿の片面のみを読み取った画像データを得ることができる。従って、複雑な操作を行うことなく、片面のみの画像データを得ることができ、使いやすい画像読取装置を提供することができる。
【００２０】
又、請求項４に係る発明は、請求項３の発明において、前記画像処理部は、前記ログアウトスキャンにより生成された画像データを記憶部に記憶するとき画像データに対して、前記ログイン状態で前記読取部が生成した画像データに対して施す複数種の画像処理のうち実行すると情報が復元できない予め定められた種類の画像処理を行わず、前記記憶部は、予め定められた種類の画像処理が施されていない画像データを前記共有領域に記憶することとした。
【００２１】
この構成によれば、画像処理部は、ログアウトスキャンにより生成された画像データを記憶部に記憶するとき、画像データに対して、ログイン状態での読取部が生成した画像データに対して施す複数種の画像処理のうち、実行すると情報が復元できない予め定められた種類の画像処理を行わず、記憶部は、予め定められた種類の画像処理が施されていない画像データを共有領域に記憶する。これにより、ログアウトスキャンにより得られた画像データを再加工可能な状態で記憶させることができる。従って、使用者は、ログアウトスキャンで得られた画像データを所望の状態に加工できる。
【００２２】
又、請求項５に係る発明は、請求項４の発明において、前記読取部は、カラーの画像データを生成し、前記画像処理部は、前記ログアウトスキャンにより生成された画像データを記憶部に記憶するとき、画像データに対してグレー又は白黒２値の画像データとする画像処理を行わないこととした。
【００２３】
カラーの画像データを一度グレーや白黒２値の画像データに変換すると、カラーの情報は失われ、元に戻すことはできない。そこで、この構成によれば、読取部は、カラーの画像データを生成し、画像処理部は、ログアウトスキャンにより生成された画像データを記憶部に記憶するとき画像データに対してグレー又は白黒２値の画像データとする画像処理を行わない。これにより、ログアウトスキャンでも、カラーの画像データを所望する使用者に対し、カラーの画像データを提供することができる。尚、グレーや白黒２値の画像データを所望する使用者は、カラーの画像データを変換すればよい。
【００２４】
又、請求項６に係る発明は、請求項４又は５の発明において、前記画像処理部は、前記ログアウトスキャンにより生成された画像データを記憶部に記憶するとき、画像データに対してズームの画像処理を行わないこととした。
【００２５】
画像データに対して拡大、縮小の画像処理を施すと、元に戻すことはできないことがある。そこで、この構成によれば、画像処理部は、ログアウトスキャンにより生成された画像データを記憶部に記憶するとき、画像データに対して、ズームの画像処理を行わない。これにより、使用者が後に画像処理を施せるように、使用者に対してオリジナルの画像データを提供することができる。
【００２６】
又、請求項７に係る発明は、請求項４乃至６の発明において、前記画像処理部は、前記ログアウトスキャンにより生成された画像データを記憶部に記憶するとき、画像データに対してフィルターをかける画像処理を行わないこととした。
【００２７】
画像データに対してフィルター処理（例えば、微分フィルターや積分フィルターなど）を施すと、元の画像データに戻すことはできない。そこで、この構成によれば、画像処理部は、ログアウトスキャンにより生成された画像データを記憶部に記憶するとき、画像データに対して、フィルターをかける画像処理を行わない。これにより、使用者が後に画像処理を施せるように、使用者に対してオリジナルの画像データを提供することができる。
【００２８】
又、請求項８に係る発明は、請求項３乃至７の発明において、前記操作部は、グレー又は白黒２値への色変換処理、ズーム処理、フィルター処理の何れか１つ又は複数を含む画像処理を行う指示入力を受け付け、前記画像処理部は、前記記憶部に記憶された画像データに対して、前記操作部に指示入力された内容で画像処理を施すこととした。
【００２９】
この構成によれば、画像処理部は、記憶部に記憶され、ログアウトスキャンにより生成された画像データに対して、操作部に指示入力された内容で画像処理を施す。これにより、使用者がログアウトスキャンの後、例えば、誰も画像読取装置を利用していないときなどに、ログアウトスキャンされたデータに対して画像処理を施すことができる。
【００３０】
又、請求項９に係る発明は、請求項１乃至８の発明において、前記読取部は、前記操作部に設けられるキーの押下に応じ、原稿の片面を読み取るか、原稿の両面を読み取るかを切り替えることとした。
【００３１】
スキャンする面数が多いので、片面よりも両面を読み取る方が読取開始から完了までの時間が長くなることがある。読取時間の長短は、生産性に影響がある。又、使用者は片面のみの読取を希望する場合もある。この構成によれば、読取部は、操作部のスキャン開始キーが押され続けた時間に応じ、又は、ログアウト状態でスキャンのモードを設定するために操作部に設けられるモード設定キーの押下に応じ、原稿の片面を読み取るか、原稿の両面を読み取るかを切り替える。これにより、生産性の向上を図りつつ、使用者の意図に沿ったログアウトスキャンを行えるようにすることができる。
【００３２】
又、請求項１０に係る発明は、請求項１乃至９の発明において、前記読取部は、前記操作部に設けられるキーの押下に応じ、読み取りでの解像度を切り替えることとした。
【００３３】
解像度が高いほど、読取開始から完了までの時間が長くなる。読取時間の長短は、生産性に影響がある。又、使用者は低解像度での読取で十分と考えている場合もある。そこで、この構成によれば、読取部は、操作部のスキャン開始キーが押され続けた時間に応じ、又は、ログアウト状態でスキャンのモードを設定するために操作部に設けられるモード設定キーの押下に応じ、読み取りでの解像度を切り替えるこれにより、生産性の向上を図りつつ、使用者の意図に沿ったログアウトスキャンを行えるようにすることができる。
【００３４】
又、請求項１２に係る画像読取システムは、画像読取装置と、前記画像読取装置と通信可能に接続された情報処理装置とを含み、前記画像読取装置は、画像データを生成する読取部と、画像データを記憶するとともに、ログアウトスキャンにより生成された原稿の画像データを記憶するために予め設定された記憶領域である共有領域を含む記憶部と、ログアウト状態ではジョブ開始指示を受け付けないとともにログインを行うための認証情報の入力を受け付け、使用者を認証できたときログイン状態となり、前記ログイン状態では画像読取装置の機能を利用するための設定入力と機能の実行入力を受け付け、予め定められた条件が満たされると前記ログアウト状態となり、又、前記読取部のスキャンの実行指示を受け付けるためのスキャン開始キーを含む操作部と、外部の情報処理装置と通信を行うための通信部を有し、を有し、前記読取部は、前記ログアウト状態で前記スキャン開始キーが押されたとき、原稿の読み取りを行って画像データを生成するログアウトスキャンを行い、前記記憶部は、前記共有領域に前記ログアウトスキャンにより生成された画像データを記憶し、前記通信部を介した前記情報処理装置からの前記共有領域に記憶された画像データへのアクセスを受け付け、前記情報処理装置は、前記共有領域に記憶された画像データを取得し、取得した画像データに対し、画像処理を行うこととした。
【００３５】
この構成によれば、上記の画像読取装置と同様に、使用前の認証を行う（ログインする必要がある）画像読取装置であっても、スキャン開始キーのワンタッチ動作のみでスキャンを開始でき、画像読取装置の操作部に対する認証を受けるための入力などの作業時間を最短化することができる。又、ログアウトスキャンを行った使用者は、ログアウトスキャンにより得られた画像データを自己の情報処理装置に取り込み、各種の画像処理を情報処理装置で行うことができる。
【発明の効果】
【００３６】
上述したように、本発明によれば、ログアウト状態でも簡易にスキャン可能とする。これにより、ログイン入力の開始から各種設定を行った後にスキャン実行開始を指示するまでの時間を極めて短くすることができる。これにより、稼働率を向上させ、オフィスでの生産性を高めた画像読取装置を提供することができる。
【図面の簡単な説明】
【００３７】
【図１】複合機の概略構成を示す正面視模型的断面図である。
【図２】読取部の一例を示す模型的断面図である。
【図３】複合機のハードウェア構成の一例を示すブロック図である。
【図４】読取部での原稿読取の流れの一例を説明するためのブロック図である。
【図５】操作パネルの一例を示す平面図である。
【図６】操作パネルの構成の一例を示すブロック図である。
【図７】使用者登録画面の一例を示す説明図である。
【図８】ソフトキーボード画面の一例を示す説明図である。
【図９】操作パネルでのログイン画面の一例を示す説明図である。
【図１０】ログアウト状態でのスキャンの流れの一例を示すフローチャートである。
【図１１】共有フォルダ画面の一例を示す説明図である。
【図１２】画像処理設定画面の一例を示す説明図である。
【発明を実施するための形態】
【００３８】
以下、本発明の実施形態を図１〜図１２を用いて説明する。本説明では、画像読取装置として複合機１００を例に挙げて説明する。言い換えると、複合機１００が画像読取装置に相当する。但し、本実施の形態に記載されている構成、配置等の各要素は、発明の範囲を限定するものではなく単なる説明例にすぎない。
【００３９】
（複合機１００の概要）
まず、図１を用いて、本発明の実施形態に係る複合機１００の概要を説明する。図１は複合機１００の概略構成を示す正面視模型的断面図である。
【００４０】
図１に示すように、本実施形態の複合機１００は、上方に読取部１０１が配される。読取部１０１は画像読取部１と原稿搬送部２（両面読取機構に相当）を含む。画像読取部１は、搬送読取用コンタクトガラス１１ａ又は載置読取用コンタクトガラス１１ｂ上面に向け光を照射し、反射光に基づき原稿の表面を読み取り、画像データを生成する。原稿搬送部２は、画像読取部１の上方に設けられ、画像読取部１に対し上下方向に開閉し、搬送読取用コンタクトガラス１１ａに向けて原稿を搬送し、原稿の裏面を読み取り、画像データを生成する。尚、読取部１０１の詳細は後述する。
【００４１】
又、図１に破線で示すように、画像読取部１の正面側に操作パネル３（操作部に相当）が設けられる。操作パネル３は、使用者による各種設定入力を受け付ける。尚、操作パネル３の詳細は後述する。
【００４２】
そして、図１に示すように、本実施形態の複合機１００は、本体内部に給紙部４ａ、搬送路４ｂ、画像形成部５ａ、中間転写部５ｂ、定着部５ｃ等を備える。複合機１００本体内の複数の給紙部４ａは、それぞれ、各サイズ（例えば、Ａ４、Ｂ４等のＡ型、Ｂ型用紙等）、各種用紙（例えば、コピー用紙、再生紙、厚紙等）を複数枚収容する。印刷をおこなうとき、いずれかの給紙部４ａの給紙ローラー４１が回転し、搬送路４ｂに用紙を１枚ずつ送り込む。
【００４３】
搬送路４ｂは、装置内で用紙を搬送する通路である。そして、搬送路４ｂには、用紙の案内のためのガイド板や、用紙搬送時に回転駆動する搬送ローラー対４２（図１おいて、上方から４２ａ、４２ｂ、４２ｃの計３つ）や、搬送される用紙を画像形成部５ａの手前で待機させ、形成されたトナー像の転写タイミングに合わせ用紙を送り出すレジストローラー対４３等が設けられる。又、定着完了後の用紙を排出トレイ４４に排出する排出ローラー対４５も設けられる。
【００４４】
尚、搬送路４ｂの一種として、定着部５ｃの下流とレジストローラー対４２の上流を接続する両面搬送路４ｃが設けられる。両面印刷の時、排出ローラー対４５は、片面印刷済みの用紙を一旦排出トレイ４４方向に搬送した後、逆回転して用紙を両面搬送路４ｃに向けて搬送するスイッチバック動作を行う。又、両面搬送路４ｃには、レジストローラー対４２方向に用紙を搬送する両面排出ローラー対４６が複数設けられる（図１おいて、上方から４６ａ、４６ｂ、４６ｃの計３つを例示）。又、排出ローラー対４５方向と両面搬送路４ｃ方向の分岐点には、用紙の搬送方向をガイドするために回動する切替弁４７が設けられる。排出ローラー対４５や切替弁４７により、片面印刷済の用紙は、表裏逆転された後、レジストローラー対４２に向けて搬送される。そして、未印刷の面に印刷を行うことで、用紙の両面に対して印刷を行うことができる。
【００４５】
画像形成部５ａは、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部１で読み取られた画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００４６】
中間転写部５ｂは、各画像形成ユニット５０からトナー像の１次転写を受け、シートに２次転写を行う。中間転写部５ｂは、各１次転写ローラー５２Ｂｋ〜５２Ｍ、中間転写ベルト５３、駆動ローラー５４、複数の従動ローラー５５ａ、５５ｂ、２次転写ローラー５６、ベルト清掃装置５７等で構成される。各１次転写ローラー５２Ｂｋ〜５２Ｍは、対応する感光体ドラムと無端状の中間転写ベルト５３を挟み込む。各１次転写ローラー５２Ｂｋ〜５２Ｍには、転写用電圧が印加され、トナー像は中間転写ベルト５３に転写される。
【００４７】
中間転写ベルト５３は、駆動ローラー５４、各１次転写ローラー５２Ｂｋ〜５２Ｍ等に張架される。中間転写ベルト５３は、モーター等の駆動機構（不図示）に接続される駆動ローラー５４の回転駆動により周回する。駆動ローラー５４と２次転写ローラー５６は、中間転写ベルト５３を挟み込む。各画像形成ユニット５０で形成されたトナー像（ブラック、イエロー、シアン、マゼンタの各色）は、順次、ずれなく重畳して中間転写ベルト５３に１次転写された後、所定の電圧を印加された２次転写ローラー５６により、シートに転写される。
【００４８】
定着部５ｃは、用紙に転写されたトナー像を定着させる。定着部５ｃは、主として、発熱体を内蔵する加熱ローラー５８とこれに圧接する加圧ローラー５９からなる。用紙が、加熱ローラー５８と加圧ローラー５９のニップを通過すると、トナーが溶融・加熱され、トナー像が用紙に定着する。定着部５ｃからの排出用紙は排出トレイ４４に送られる。
【００４９】
（読取部１０１の構成）
次に、図２を用いて、実施形態に係る読取部１０１の一例を説明する。図２は、読取部１０１の一例を示す模型的断面図である。
【００５０】
上述のように、読取部１０１は、画像読取部１と原稿搬送部２を含む。そこで、まず、画像読取部１を説明する。図１や図２に示すように、画像読取部１は、箱形の筐体を有する。そして、画像読取部１の上面左側に、図２の紙面に垂直な方向でのび、透明板状の搬送読取用コンタクトガラス１１ａが配される。そして、画像読取部１の上面右側に、紙面に垂直な方向でのび、透明板状の載置読取用コンタクトガラス１１ｂが配される。書籍等の原稿を１枚ずつ読み取る場合、原稿搬送部２を持ち上げ、読取面を下向きにして、原稿が載置される。
【００５１】
又、図２に示すように、画像読取部１の筐体内に、第１移動枠１３１、第２移動枠１３２、ワイヤ１４１、巻取ドラム１４２、レンズ１５と、原稿に光を照射する第１光源１６（例えば、ＬＥＤや蛍光管）と、原稿に照射された光が入射され、１ライン毎に原稿を読み取り、画像データを生成するための第１イメージセンサー１２等が配される。第１イメージセンサー１２は、例えば、ライン状に光電変換素子を並べたＣＣＤ（Charge Coupled Device）で構成され、原稿の反射光を元に、１ライン毎に原稿の表面を読み取る。
【００５２】
第１光源１６から発せられ、搬送読取用コンタクトガラス１１ａ上の原稿や、載置読取用コンタクトガラス１１ｂ上の原稿に当たり反射された反射光は、第１ミラー１７１、第２ミラー１７２、第３ミラー１７３による反射でレンズ１５に導かれる。レンズ１５は、反射光を集光し、第１イメージセンサー１２に入射する。第１イメージセンサー１２は、カラーでの読み取りに対応し、例えば、複数の受光素子を並べたＲ、Ｇ、Ｂの３色のラインセンサを含む。そして、第１イメージセンサー１２は、反射光を画像濃度に応じたアナログの電気信号に変換する。この原稿の主走査方向（原稿搬送方向と垂直な方向）にライン単位で読取が行われ、ライン単位の読取を副走査方向（原稿搬送方向）に連続して繰り返し行って、１枚の原稿の表面が読み取られる。
【００５３】
そして、第１移動枠１３１は、上方に光を照射する第１光源１６を、下方に第１ミラー１７１を支持する。尚、第１光源１６、各ミラーは、図２の紙面垂直方向に延びる形状である。第２移動枠１３２は、上方に第２ミラー１７２を、下方で第３ミラー１７３を支持する。又、第１移動枠１３１は第２移動枠１３２の上方に配される。又、この第１移動枠１３１及び第２移動枠１３２には複数本のワイヤ１４１が取り付けられ（図２では、便宜上１本のみ図示）る。ワイヤ１４１の他端は巻取ドラム１４２に接続され、巻取モーター１４（図４参照）を駆動源として、巻取ドラム１４２が正逆回転し、第１移動枠１３１と第２移動枠１３２は水平方向に自在に移動する。
【００５４】
ここで、原稿の表面の読取動作を説明しておく。まず、原稿搬送部２により搬送される原稿の表面読取や、両面同時読取の場合、巻取モーター１４が駆動した後、第１移動枠１３１と第２移動枠１３２は、搬送読取用コンタクトガラス１１ａの下方位置（読み取り位置）に固定される。そして、通過する原稿に対し、第１光源１６は光を照射する。そして、第１イメージセンサー１２の各画素が反射光に応じたアナログの電気信号を出力する。
【００５５】
一方、載置読取用コンタクトガラス１１ｂ上に載置された原稿を読み取る場合、第１移動枠１３１及び第２移動枠１３２を巻取ドラム１４２やワイヤ１４１等により、ホームポジションから図２の右方向に水平に移動させ、走査動作を、順次原稿端部まで連続的に行うことで、原稿全体が読み取られ、原稿画像がアナログの電気信号に変換される。
【００５６】
次に、原稿搬送部２から説明する。原稿搬送部２は、読み取りを行う原稿を１枚ずつ、自動的に連続して読み取り位置（後述の搬送読取用コンタクトガラス１１ａ）に搬送する。原稿搬送部２は、原稿搬送方向上流側から順に、原稿トレイ２２、原稿供給ローラー２３、原稿搬送路２４、複数の原稿搬送ローラー対２５、原稿排出ローラー対２６、原稿排出トレイ２７等を備える。又、原稿搬送部２は、図２の紙面奥側を支点として画像読取部１に上下方向に開閉自在に取り付けられ、画像読取部１の各コンタクトガラスを上方から押さえるカバーとして機能する。
【００５７】
読み取りを行う複数枚の原稿は、表面を上に向けた状態で、原稿トレイ２２に載置される。そして、原稿供給ローラー２３は、原稿トレイ２２に載置された原稿のうち最上位の原稿に当接する。例えば、スタートキー３４の押下等、原稿読取を行う旨の入力が複合機１００に入力されると、原稿供給ローラー２３は、原稿搬送路２４に原稿を１枚ずつ送り出す。
【００５８】
送り出された原稿は、複数の原稿搬送ローラー対２５やガイドに導かれ、画像読取部１上面に設けられた搬送読取用コンタクトガラス１１ａの上面を通過する。この通過の際、画像読取部１が読取を行う。そして、読取が完了した原稿は、原稿排出ローラー対２６から原稿排出トレイ２７に排出される（原稿搬送経路を２点鎖線で図示）。尚、上記の各回転体（原稿供給ローラー２３、原稿搬送ローラー対２５、原稿排出ローラー対２６）は、原稿搬送モーター２８（図４参照）を駆動源として回転する。
【００５９】
そして、原稿搬送部２には、例えば、原稿排出ローラー対２６の近傍で原稿搬送方向上流側に、搬送される原稿の裏面を読み取る第２イメージセンサー２１（両面読取機構に相当）が設けられる。第２イメージセンサー２１は、ＣＩＳ（Contact Image Sensor、密着イメージセンサ）方式のイメージセンサーである。又、例えば、第２イメージセンサー２１は、カラーでの読み取りに対応し、例えば、複数の受光素子を並べたＲ、Ｇ、Ｂの３色のラインセンサを含む。又、第２イメージセンサー２１は、原稿の裏面に光を照射する第２光源２９（例えば、ＬＥＤや蛍光管、図４参照）や、原稿の反射光を導くレンズなども含む。
【００６０】
原稿搬送に伴い、第２イメージセンサー２１は、原稿の裏面の主走査方向（原稿搬送方向と垂直な方向）でのライン単位の読取を行う。第２イメージセンサー２１は、反射光を画像濃度に応じたアナログの電気信号に変換する。ライン単位の読取を副走査方向（原稿搬送方向）に連続して繰り返し行って、１枚の原稿の裏面が読み取られる。従って、原稿搬送部２や第２イメージセンサー２１が原稿の両面を読み取るための両面読取機構として動作する。
【００６１】
尚、本実施形態の読取部１０１は、原稿搬送部２に第２イメージセンサー２１を設けて原稿の両面をほぼ同時に読み取る。しかし、第２イメージセンサー２１を設けず、原稿排出ローラー対２６にスイッチバック動作を行わせ、再度、原稿を搬送読取用コンタクトガラス１１ａよりも上流側に原稿を送り込む再合流用原稿搬送路を設けて、第１イメージセンサー１２が裏面側も読み取りを行う構成としてもよい。この場合、原稿排出ローラー対２６や再合流用原稿搬送路が両面読取機構として動作する。
【００６２】
（複合機１００のハードウェア構成）
次に、図３に基づき本発明の実施形態に係る複合機１００のハードウェア構成の一例を説明する。図３は複合機１００のハードウェア構成の一例を示すブロック図である。
【００６３】
複合機１００には、全体制御を司り、複合機１００内の各部の制御や通信制御が画像処理を行う主制御部６が設けられる。そして、主制御部６には、中央演算処理装置としてＣＰＵ６１が設けられる。又、ＲＯＭ６２（Read Only Memory）やＲＡＭ６３（Random Access Memory）やＨＤＤ６４（Hard disk drive）や、その他フラッシュＲＯＭ等の不揮発性と揮発性の記憶装置からなる記憶部６５が、主制御部６に設けられる（主制御部６外でもよい）。
【００６４】
記憶部６５は、複合機１００を制御するためのプログラム、データ等を記憶する。主制御部６は、記憶部６５のプログラムやデータを利用して、各部を制御し、印刷やデータの送信を行わせる。又、記憶部６５（例えば、ＨＤＤ６４）は、読取部１０１の読み取りに基づく画像データを記憶、蓄積することができる。
【００６５】
又、主制御部６には、読取部１０１の読み取りにより得られた画像データや記憶部６５に記憶された画像データに対し、画像処理を行う画像処理部７が設けられる。例えば、画像処理部７は、ＡＳＩＣやＦＰＧＡなどの画像処理専用の集積回路やメモリーを含む。画像処理部７は、各種補正処理（γ補正処理等）やシェーディング補正等の補正画像処理や、濃度変換処理や、拡大縮小処理や、回転処理や、データ形式変換、ページを削除する処理や、各種フィルター処理など、印刷や外部への画像データ送信のための各種画像処理を行える。尚、画像処理部７は、その他の画像処理（例えば、枠消し処理）等を行うこともできるが、公知の画像処理を行えるものとして説明を割愛する。
【００６６】
又、複合機１００には、外部のコンピューター２００（情報処理装置に相当）やＦＡＸ装置３００と画像データの送受信を行う通信部８が設けられる。通信部８は、コンピューター２００やＦＡＸ装置３００から印刷を行う画像データや印刷での設定データを受信する（プリンター、ＦＡＸ機能）。又、通信部８は、読取部１０１での原稿読取に基づき生成され記憶部６５に記憶された画像データをコンピューター２００やＦＡＸ装置３００に送信できる（送信機能）。又、主制御部６は、操作パネル３と通信可能に接続される。操作パネル３での入力内容やジョブの実行指示は、主制御部６に伝達される。
【００６７】
又、主制御部６は、画像形成や各種回転体を回転させるモーター等のＯＮ／ＯＦＦ等を行い、印刷を制御するエンジン制御部５ｄと通信可能に接続される。尚、エンジン制御部５ｄを設けず、主制御部６が代わりに印刷制御を行っても良い。そして、エンジン制御部５ｄは、給紙部４ａ、搬送路４ｂ、両面搬送路４ｃ、画像形成部５ａ、中間転写部５ｂ、定着部５ｃ等と接続される。主制御部６は、印刷の際、エンジン制御部５ｄに、操作パネル３での設定に応じて、印刷内容の指示を与える。エンジン制御部５ｄは、主制御部６の指示に基づき、各部の動作制御を行う。
【００６８】
又、主制御部６は、画像読取部１、原稿搬送部２とも通信可能に接続される。コピーや画像データ送信などのため、原稿読取の実行時、主制御部６は、画像読取部１、原稿搬送部２に対して動作指示を与える。これにより画像読取部１（両面読取のときは原稿搬送部２も）は原稿読取を行う。そして、主制御部６は、例えば、原稿の画像データを受け取り、画像データを画像処理部７に処理させ、処理後の画像データに基づき、エンジン制御部５ｄに印刷を行わせたり（コピー）や、通信部８に画像データの送信を行わせたり（送信機能）、記憶部６５のＨＤＤ６４に記憶させたりする（ボックス機能）。
【００６９】
（読取部１０１での原稿読取の流れ）
次に、図４に基づき、実施形態に係る読取部１０１での原稿読取の流れの一例を説明する。図４は読取部１０１での原稿読取の流れの一例を説明するためのブロック図である。
【００７０】
上述したように、本実施形態の読取部１０１は、画像読取部１と原稿搬送部２を含む。そして、画像読取部１には、画像読取部１の動作の制御を行う読取制御部１０が設けられる。一方、原稿搬送部２には、原稿搬送部２の動作の制御を行う原稿搬送制御部２０が設けられる。
【００７１】
まず、画像読取部１での原稿読取の流れを説明する。読取制御部１０は、主制御部６や原稿搬送制御部２０と通信可能に接続される。そして、主制御部６からの指示、信号を受け、画像読取部１内の部材の動作制御を行う。
【００７２】
例えば、読取制御部１０は、中央演算処理装置としてのＣＰＵや、制御用のプログラムやデータを記憶する記憶装置としてのＲＯＭ、ＲＡＭを含む基板である。主制御部６から原稿の読取指示があったとき、読取制御部１０は、巻取モーター１４を駆動させ、巻取ドラム１４２を回転させ、第１移動枠１３１や第２移動枠１３２を読み取りに応じた位置に移動させる。
【００７３】
又、そして、画像読取部１には、原稿の表面の読み取りに関し、第１光源１６、第１イメージセンサー１２、第１ＡＦＥ１８（Analog Front End）、画像メモリー１９などが設けられる。
【００７４】
原稿読取（表面読取）の指示を主制御部６から受けたとき、画像読取部１は、第１光源１６を点灯させる。そして、第１イメージセンサー１２は、原稿の表面を読み取る。尚、第１イメージセンサー１２は、１２００ｄｐｉや６００ｄｐｉや３００ｄｐｉなど複数の読取解像度を有し、何れかの解像度で読み取りを行うことができる。第１イメージセンサー１２の各受光素子（光電変換素子）が出力するアナログ信号は、第１ＡＦＥ１８に入力される。第１ＡＦＥ１８は、例えば、アナログ信号の増幅器や、ＡＧＣ（Auto Gain Control、自動ゲイン調整）回路や、第１イメージセンサー１２から出力される奇数番目と偶数番目の信号の特性の差異を補正するＯＤＤ／ＥＶＥＮ補正回路や、各種補正、調整回路で整えられたアナログ信号をディジタル信号に変換するＡ／Ｄ変換回路などを含む。第１ＡＦＥ１８によってディジタル信号に変換された画像データは、画像メモリー１９に入力される。
【００７５】
次に、原稿搬送部２側での原稿読取動作を説明する。原稿搬送制御部２０は、上述の主制御部６や読取制御部１０と接続され、主制御部６や読取制御部１０からの指示、信号を受け原稿搬送部２に設けられた部材の動作制御を行う。
【００７６】
原稿搬送制御部２０は、例えば、中央演算処理装置としてのＣＰＵや、制御用のプログラムやデータを記憶する記憶装置としてのＲＯＭ、ＲＡＭを含む基板である。例えば、主原稿トレイ２２に載置された原稿の制御部５から原稿の読取指示があった場合、原稿搬送モーター２８を駆動させ、原稿供給ローラー２３や原稿搬送ローラー対２５等を回転させる。
【００７７】
尚、原稿トレイ２２には、原稿トレイ２２への原稿を載置するための原稿検知センサー２０１が設けられる（図２等参照）。原稿検知センサー２０１は、例えば、光センサーであり、原稿が載置されているときと載置されていないときでは、出力が変化する。そして、原稿検知センサー２０１の出力は、原稿搬送制御部２０に入力される。原稿搬送制御部２０は、原稿検知センサー２０１の出力（例えば、ＨｉｇｈかＬｏｗか）に基づき、原稿トレイ２２に原稿が載置されているか否かを認識する。
【００７８】
又、操作パネル３で両面読取の指示があった場合など、両面読取を行うとき、主制御部６は、原稿搬送制御部２０に原稿の裏面読取を指示する。そして、原稿搬送部２には原稿の裏面を読み取るため第２光源２９、第２イメージセンサー２１、第２ＡＦＥ２０ａ（Analog Front End）などが設けられる。
【００７９】
裏面読取の指示を主制御部６から受けたとき、原稿搬送制御部２０は、第２光源２９を点灯させる。そして、第２イメージセンサー２１は、通過する原稿の裏面を読み取る。尚、第２メージセンサーも、１２００ｄｐｉや６００ｄｐｉや３００ｄｐｉなど複数の読取解像度を有し、何れかの解像度で読み取りを行うことができる。第２イメージセンサー２１は、各受光素子（光電変換素子）のアナログ信号を出力し、第２ＡＦＥ２０ａに入力する。第２ＡＦＥ２０ａは、例えば、アナログ信号の増幅器や、ＡＧＣ（Auto Gain Control、自動ゲイン調整）回路や、第２イメージセンサー２１から出力される奇数番目と偶数番目の信号の特性の差異を補正するＯＤＤ／ＥＶＥＮ補正回路や、各種補正、調整回路で整えられたアナログ信号をディジタル信号に変換するＡ／Ｄ変換回路などを含む。尚、第２ＡＦＥ２０ａは、第１ＡＦＥ１８と同様の処理を行うが、第１イメージセンサー１２と第２イメージセンサー２１は、イメージセンサーの種類が異なるので、各処理でのパラメータが異なる。第２ＡＦＥ２０ａによってディジタル信号に変換された画像データは、画像メモリー１９に入力される。
【００８０】
又、例えば、画像メモリー１９は、ＤＲＡＭである。画像メモリー１９は、生成された画像データを記憶部６５に向けて出力する。そして、画像データは、例えば、主制御部６のＲＡＭ６３に一時的に蓄えられ、本体側の画像処理部７が別途画像処理を行った後、印刷のため露光装置５１（コピーの場合）や送信（スキャン送信の場合）に出力されたり、記憶部６５（例えば、ＨＤＤ６４）に記憶される。尚、読取部１０１側に、別途、１又は複数の画像処理部を設け、原稿読取に関する画像処理は、読取部１０１内で行うようにしてもよい。
【００８１】
（操作パネル３の構成）
次に、図１、図５及び図６に基づき、本発明の実施形態に係る複合機１００の操作パネル３の一例を説明する。図５は、操作パネル３の一例を示す平面図である。図６は、操作パネル３の構成の一例を示すブロック図である。
【００８２】
まず、図１に破線で示すように、操作パネル３は、複合機１００の正面上方に設けられる。そして、図５、図６に示すように、操作パネル３は、複合機１００の状態や各種メッセージを表示する液晶表示部３１を備える。又、液晶表示部３１は、機能の選択や選択した機能での設定値を設定するためのキーを１又は複数表示できる。
【００８３】
そして、図５、図６にしめすように、液晶表示部３１の上面にタッチパネル部３２（例えば、抵抗膜方式）が設けられる。タッチパネル部３２は、液晶表示部３１で押された部分の位置、座標を検出するためのものである。尚、タッチパネル部３２としては、抵抗膜方式の他、表面弾性波方式、赤外線方式、静電容量方式等、各方式のものを採用でき特に制限はない。
【００８４】
尚、操作パネル３は、印刷部数等、数字入力用のテンキー部３３や、コピーやスキャン等のデータ送信の開始を指示するためのスタートキー３４、ログイン状態でのログアウトを直接指示するログアウトキー３５も備える。又、使用や設定を行う機能（図５ではコピー、プリンター、スキャン、ＦＡＸを例示）を選択するために押される機能選択キー群３６（コピーキーやボックスキーなど）も設けられる。このように、操作パネル３には、入力、設定用のハードキーが設けられる。
【００８５】
又、図６に示すように、操作パネル３内には、表示制御部３０、機能の選択画面や選択した機能の設定値の設定画面や表示する各種メッセージ等の各種データを記憶するメモリー３７等が設けられる。表示制御部３０は、スタートキー３４、テンキー部３３、機能選択キー群３６、スキャン開始キーＫ７等の操作パネル３に設けられるキーと接続され、押されたキーを認識する。
【００８６】
又、表示制御部３０は、液晶表示部３１の表示を制御する。例えば、液晶表示部３１に表示させる画面、画像のデータは、メモリー３７に記憶される（記憶部６５に画面、画像のデータを記憶させ、通信により表示制御部３０が画像のデータを受けても良い）。表示制御部３０は、メモリー３７に記憶された画面、画像のデータに基づき、液晶表示部３１の表示を制御する。例えば、表示制御部３０は、使用者の操作、入力に応じて液晶表示部３１の表示切り替えさせる。
【００８７】
又、表示制御部３０は、タッチパネル部３２と接続される。タッチパネル部３２に抵抗膜を用いている場合、抵抗膜からの出力電圧は、押下位置により変化する。表示制御部３０は、タッチパネル部３２の出力電圧に基づき、液晶表示部３１のうち、押下された位置（座標）を認識する。表示制御部３０は、液晶表示部３１に現在表示させている画面、画像のデータと座標から、液晶表示部３１に表示されるキーの内、いずれのキーが押下されたかを認識する。これにより、使用者は、液晶表示部３１に表示されるキーを押して、での表示とタッチパネル部３２で複合機１００の各機能の選択や設定値の設定やモード選択等を行うことができる。
【００８８】
（使用者情報の登録）
次に、図７、図８を用いて、複合機１００の使用者の登録の一例を説明する。図７は、使用者登録画面Ｓ１の一例を示す説明図である。図８は、ソフトキーボード画面Ｓ２の一例を示す説明図である。
【００８９】
本実施形態では、操作パネル３で使用者の認証（特定）を行うが、そのためには、予め使用者を登録しておく必要がある。そして、予め登録された使用者の情報が認証を行うための認証情報として用いられる。
【００９０】
操作パネル３に対して予め定められた入力を行うと、図７に示すように、使用者登録画面Ｓ１が表示される。この使用者登録画面Ｓ１は、例えば、複合機１００の管理者など、権限を有する者だけが開くことができる。
【００９１】
そして、管理者等は、使用者登録画面Ｓ１で新規キーＫ１を押すと、新規に、複合機１００の使用者を登録することができる。例えば、登録内容（項目）としては、「ユーザ名」、「ユーザ（カナ）」、「ログインユーザ名」、「ログインパスワード」、「アクセスレベル」、「所属部門」、「メールアドレス」、「ネットワークアドレス」（例えば、ＩＰアドレス）等がある（更に多くの項目を登録可能としても良い。）。尚、登録されていない項目については、その内容が表示されない（例えば、図７では、「ユーザ（カナ）」の項目）。
【００９２】
そして、各項目に関し、変更キーＫ２（Ｋ２ａ〜Ｋ２ｈ）が設けられる。例えば、いずれかの変更キーＫ２が押されると、表示制御部３０は、図８に示すようなソフトキーボード画面Ｓ２を液晶表示部３１に表示させる。このソフトキーボード画面Ｓ２では数字、文字等の入力を行うことができる。例えば、ソフトキーボード画面Ｓ２を表示するための画像データは、メモリー３７に記憶される。そして、使用者は、ソフトキーボード画面Ｓ２として表示されたキーを押して、文字等を入力できる。例えば、図８に示すように、ソフトキーボード画面Ｓ２には、アルファベット、記号、数字等の入力キーが含められる。又、「全角ひらがな」と表示されたキーや、「かな漢字」と表示されたキーを押すと、液晶表示部３１は、各入力キーをかな文字が表示されたキーに入れ替えて表示を行う。これにより、日本語（かな、漢字等）の文字入力を行うこともできる。そして、入力された文字列は、入力文字表示欄Ｓ２１に表示される。
【００９３】
このように、新規の複合機１００の使用者登録や、既に登録されている者の変更登録を行うことができる。使用者登録画面Ｓ１でなされた入力内容は、登録キーＫ３が押されると、認証情報として、メモリー３７に記憶される（記憶部６５でもよい）。
【００９４】
（複合機１００における認証）
次に、図９を用いて、実施形態に係る複合機１００での認証（ログイン）の一例を説明する。図９は、操作パネル３でのログイン画面Ｓ３の一例を示す説明図である。
【００９５】
まず、主制御部６は、基本的に、複合機１００を使用不可状態（ログアウト状態）とする。又、操作パネル３は、ログアウト状態では、ジョブ開始指示などを受け付けない。例えば、ログアウト状態では、スタートキー３４が押されても、操作パネル３は無視し、主制御部６は、その動作指示入力を無視し、原稿読取や印刷は行われない。又、外部のコンピューター２００から画像データの送信があっても、主制御部６は、受信した画像データを記憶部６５等に一時的に保存しても印刷は行わない。
【００９６】
一方、使用可能な者との認証が得られると、操作パネル３は、ログイン状態となり、主制御部６は、実行指示があれば、各部を制御してジョブを実行させる。又、操作パネル３は、ジョブ（コピーやスキャンや送信等）での機能の選択や、設定値の設定や、ジョブ実行開始の指示を受け付ける。
【００９７】
本実施形態の複合機１００では、使用者は、コピーや送信先を指定してスキャンをするとき、操作パネル３に入力を行って認証を受け、ログインする。ログインするには、図９に示すように、使用者は、ログイン画面Ｓ３でユーザ名（ユーザＩＤでもよい）やログイン用のパスワード等の使用者を識別するための情報（識別情報）を入力する。ログイン画面Ｓ３は、複合機１００がログアウト状態のとき、液晶表示部３１に表示される。
【００９８】
例えば、使用者がログインユーザ名キーＫ４やログインパスワードキーＫ５を押すと、表示制御部３０は、図８に示したソフトキーボード画面Ｓ２を液晶表示部３１に表示させる。そして、使用者は、予め登録された自己のログインユーザ名とログインパスワードを入力する。そして、表示制御部３０は、入力結果をログインユーザ名表示欄Ｓ３１と、ログインパスワード表示欄Ｓ３２に表示させる。尚、例えば、ログインパスワード表示欄Ｓ３２に表示される文字は、パスワードの文字数分の「＊」等であり、パスワード自体は表示されない。
【００９９】
使用者は、ログインユーザ名やログインパスワードの入力（識別情報の入力）が完了すると、ログインキーＫ６を押す。ログインキーＫ６が押されたと表示制御部３０が認識すると、認証作業がなされる。例えば、表示制御部３０は、メモリー３７内の認証情報と入力された識別情報を比較し、認証情報に識別情報と一致する部分があるか（一致する使用者がいるか）否かを確認する。一致する使用者がいれば、表示制御部３０は、主制御部６に複合機１００を使用させても良い旨のデータや使用者に関するデータを送信する。又、表示制御部３０は、操作パネル３のロックを解除し、ログイン状態となり、各種機能の設定やジョブ開始の指示があれば、受け付ける。
【０１００】
又、例えば、認証は、主制御部６や記憶部６５を使用して行われても良い。この場合、複合機１００の使用者の認証情報は、予め記憶部６５に記憶させていてもよい。そして、ログインキーＫ６が押されると、入力された識別情報が表示制御部３０から主制御部６に送られる。主制御部６は、記憶部６５内の認証情報と、受け取った識別情報を比較し、認証情報に識別情報と一致する部分があるか（一致する使用者がいるか）否か確認する。一致すれば、主制御部６は、複合機１００を使用可能状態として良いと認識し、表示制御部３０に複合機１００を使用させても良い旨のデータや使用者を特定する情報（例えば、ユーザ名）を送信する。これにより、表示制御部３０はロックを解除し、操作パネル３はログイン状態となり、複写等の各種機能の設定やジョブ開始の指示があれば、受け付ける。
【０１０１】
そして、複合機１００の使用後、ログイン状態のままであれば、誰でも複合機１００を使用できてしまう。そのため、複合機１００が、ログイン状態が維持されると、情報セキュリティ上、問題がある。そこで、複合機１００や操作パネル３は、使用された後ログアウト状態となる。
【０１０２】
使用者は、ログアウトキー３５を押すことで、ログイン状態からログアウト状態に遷移すべき指示を与えることができる。あるいは、例えば、表示制御部３０は、ジョブ完了後、操作パネル３への入力がないまま、予め定められた移行時間（例えば、１分、操作パネル３で設定可能）経過したかを計時する。そして、操作パネル３への入力が無い状態が予め定められた移行時間続くと、表示制御部３０は、ログイン画面Ｓ３を表示し、操作パネル３をログアウト状態とする。又、表示制御部３０は、主制御部６にログアウト状態となった旨のデータを送信する。
【０１０３】
（ログアウト状態でのスキャン）
次に、図９を用いて、本実施形態の複合機１００でのログアウト状態でのスキャン（ログアウトスキャン）の概要を説明する。
【０１０４】
従来、スキャンを行うとき、使用者は、ログインし、スキャンしたデータの記憶先（例えば、コンピューター２００のアドレスや、複合機１００の記憶部６５のＨＤＤ６４に設けられたフォルダ等）や、読み取りでの解像度や、カラーや白黒等の読み取りでのカラーの設定など、各種の設定を行ってから、スタートキー３４などを押して、スキャンのジョブの実行指示を行う。
【０１０５】
しかし、このような従来のスキャンでは、ログインのための識別情報の入力や各種設定入力が必須であり、原稿をセットし、識別情報の入力開始からスキャンを行うまで、ある程度の時間を要している。
【０１０６】
そのため、設定中の使用者の次に複合機１００を利用したい使用者は、ログイン入力→各種設定入力→ジョブの実行開始（スタートキー３４押下）の間、待つ必要があり、待ち時間が生ずる。更には、先の使用者に識別情報の入力ミスや、設定ミスによるジョブのやり直し等があれば、使用者の待ち時間は更に長くなってしまう。
【０１０７】
このように、スキャン等のジョブを実行するまでに必須の複合機１００の前での作業（操作パネル３での入力作業）が多いため、複合機１００（画像読取装置）の稼働率や、オフィスでの生産性を一定以上には、高めることができない。そこで、本実施形態では、ログアウトでの簡易な操作に基づくスキャンを実現し、使用者の待ち時間を減らし、画像読取装置の稼働率や、オフィスでの生産性を高める。
【０１０８】
次に、具体的なログアウト状態でのスキャンを図９を用いて説明する。本実施形態の複合機１００では、ログアウト状態で表示されるログイン画面Ｓ３に、ログアウト状態でのスキャン（ログアウトスキャン）の実行を指示するためのスキャン開始キーＫ７が設けられる。
【０１０９】
使用者は、原稿を原稿搬送部２や載置読取用コンタクトガラス１１ｂに原稿をセットした状態でスキャン開始キーＫ７を押すことで、ログアウト状態でも原稿の読み取りを複合機１００（読取部１０１）に行わせることができる。スキャン開始キーＫ７が押されると、表示制御部３０は、主制御部６に向けてスキャン開始キーＫ７が押された旨を示すデータを送信する。これを受けて、主制御部６は、読取部１０１に原稿の読み取りを行わせる。例えば、原稿搬送部２は原稿トレイ２２に載置された原稿を搬送し、第１イメージセンサー１２や第２イメージセンサー２１が原稿の読み取りを行う。
【０１１０】
そして、ログアウトスキャンにより生成された原稿の画像データは、複合機１００のＨＤＤ６４に予め設定された共有フォルダ６６（共有領域に相当）に記憶される。共有フォルダ６６は、外部のコンピューター２００から通信部８を介してアクセス可能である。そのため、外部のコンピューター２００から複合機１００のＨＤＤ６４にアクセスし、共有フォルダ６６に記憶された原稿の画像データに対する操作が可能である。例えば、共有フォルダ６６に記憶された画像データのコンピューター２００への取り込み（ダウンロード）や、共有フォルダ６６に記憶された画像データの削除をコンピューター２００で実行できる。
【０１１１】
又、ログイン画面Ｓ３には、スキャン開始キーＫ７に付随して、両面キーＫ８、片面キーＫ９、高解像度キーＫ１０、低解像度キーＫ１１が設けられる。
【０１１２】
本実施形態の読取部１０１は、原稿搬送部２を用いて、原稿の両面の読み取りを行うことができる。一方、両面読取は、片面読取に比べ、読み取りを行う面が多く、画像データのサイズも大きくなる。そのため、両面読取の方が、片面読取よりも原稿の読み取りに時間を要することがあり、両面で読み取るか、片面で読み取るかは、複合機１００の生産性、稼働率に係わる。そこで、スキャン開始キーＫ７を押す前に、両面キーＫ８、片面キーＫ９を押して、ログアウトスキャンでの読み取りを行う面を指定できる。
【０１１３】
両面キーＫ８は、原稿の両面を読み取ってログアウトスキャンを行うときに押す。一方、片面キーＫ９は、原稿の片面（表面）のみを読み取ってログアウトスキャンを行うときに押す。これにより、読取部１０１は、使用者の所望する態様で原稿の読み取りを行える。尚、スキャン開始キーＫ７が押されたとき、両面キーＫ８、片面キーＫ９のいずれも押されていない場合、読取部１０１は、原稿の両面の読み取りを行う。言い換えると、ログアウトスキャンでのデフォルトの設定は、両面の読み取りである。
【０１１４】
又、高解像度での読み取りは、低解像度の場合にくらべ、走査数が多くなり、画像データのサイズも大きくなる。そのため、高解像度での読取の方が、低解像度での読取よりも原稿の読み取りに時間を要することがある。そのため、読み取りでの解像度は、複合機１００の生産性、稼働率に係わる。そこで、スキャン開始キーＫ７を押す前に、高解像度キーＫ１０、低解像度キーＫ１１を押して、ログアウトスキャンでの解像度を指定できる。
【０１１５】
高解像度キーＫ１０は、高い方の解像度で原稿を読み取ってログアウトスキャンを行うときに押す。例えば、高解像度での読み取りでは、第１イメージセンサー１２や第２イメージセンサー２１は、６００ｄｐｉで原稿を読み取り、読取部１０１は、６００ｄｐｉの画像データを生成する。一方、片面キーＫ９は、低い方の解像度で原稿を読み取ってログアウトスキャンを行うときに押す。例えば、低解像度での読み取りでは、第１イメージセンサー１２や第２イメージセンサー２１は、３００ｄｐｉで原稿を読み取り、読取部１０１は、３００ｄｐｉの画像データを生成する。これにより、読取部１０１は、使用者の所望する解像度で原稿の読み取りを行える。尚、６００ｄｐｉや３００ｄｐｉは例示である。又、各イメージセンサーが備える読取モード（読取解像度）にあわせて、更に複数の解像度での読み取りの設定を行えるようにしてもよい。
【０１１６】
尚、スキャン開始キーＫ７が押されたとき、高解像度キーＫ１０、低解像度キーＫ１１のいずれも押されていない場合、読取部１０１は、高解像度で読み取りを行う。言い換えると、ログアウトスキャンでのデフォルトの設定は、高解像度である。
【０１１７】
又、上記の説明では、スキャン開始キーＫ７や、両面キーＫ８、片面キーＫ９、高解像度キーＫ１０、低解像度キーＫ１１を液晶表示部３１に表示されるソフトキーとして説明したが、上記の各キーを操作パネル３にハードキーとして設けても良い。又、スキャン開始キーＫ７に付随して４つのキー（両面キーＫ８、片面キーＫ９、高解像度キーＫ１０、低解像度キーＫ１１）を設ける例を説明したが、長押しに対応する等により、読み取りの設定値を設定するためのキーの数を減らしても良い。
【０１１８】
（ログアウトスキャンの流れ）
次に、図１０を用いて、ログアウトスキャンでの処理の流れを説明する。図１０は、ログアウト状態でのスキャンの流れの一例を示すフローチャートである。
【０１１９】
まず、図１０のスタートは、ログアウト状態でスキャン開始キーＫ７が押された時点である。ログアウト状態でスキャン開始キーＫ７が押されると、表示制御部３０は、ログイン画面Ｓ３での設定内容に基づき、両面で読み取りを行うか片面で読み取りで行うか、及び、高解像度で読み取りを行うか低解像度で読み取りを行うか、といったログアウトスキャンの設定内容を確認する（ステップ♯１）。そして、表示制御部３０は、主制御部６にログアウトスキャンでの設定内容を示すデータを伝える（ステップ♯２）。
【０１２０】
表示制御部３０からの通知を受けて、主制御部６は、読取部１０１に対して設定に合わせた原稿の読み取りを指示する（ステップ♯３）。
【０１２１】
例えば、両面読取を行う設定であれば、主制御部６は、原稿搬送部２の原稿搬送制御部２０に、ログアウトスキャンである旨を通知するとともに、原稿の搬送と第２イメージセンサー２１による原稿の裏面の読取の指示を与える。又、主制御部６は、画像読取部１の読取制御部１０に、ログアウトスキャンである旨を通知するとともに、第１イメージセンサー１２による原稿の表面読取の指示を与える。又、主制御部６は、原稿搬送制御部２０や読取制御部１０に、読み取りでの解像度を指示する旨のデータ等、読み取りでの設定データ等を送信する。
【０１２２】
又、片面読取を行う設定であれば、主制御部６は、原稿トレイ２２に原稿が載せられていれば（例えば、原稿検知センサー２０１で検知）、原稿搬送制御部２０に、ログアウトスキャンである旨を通知するとともに、原稿の搬送の指示を与える。尚、原稿トレイ２２に原稿が載せられていなければ（原稿検知センサー２０１で原稿トレイ２２への原稿の載置を検知できなければ）、主制御部６は、原稿搬送制御部２０に原稿搬送の指示を与えない。又、主制御部６は、読取制御部１０に、ログアウトスキャンである旨を通知するとともに、第１イメージセンサー１２による原稿の表面読取の指示を与える。又、主制御部６は、原稿搬送制御部２０や読取制御部１０に、読み取りでの解像度を指示する旨のデータ等、読み取りでの設定データ等を送信する。
【０１２３】
これらの指示を受け、読取部１０１（原稿搬送部２や画像読取部１）は、ログアウトスキャンでの設定合わせ、原稿の読み取りを行う（ステップ♯４）。そして、第１ＡＦＥ１８や第２ＡＦＥ２０ａにより、各イメージセンサーの読み取りに基づく画像データが生成される（ステップ♯５）。
【０１２４】
そして、画像処理部７は、ログアウトスキャンでは、生成された画像データに対して予め定められた種類の画像処理のみを行う（ステップ♯６）。そして、記憶部６５（ＨＤＤ６４）は、共有領域（共有フォルダ６６）にログアウトスキャンにより得られた画像データを記憶する（ステップ♯７→エンド）。
【０１２５】
画像処理の中には、一度実行すると元に復元できないものがある。復元できない画像処理を行うと、使用者が利用するときに所望の画像データを得られない場合が生ずる。そこで、ログアウトスキャンでは、後の画像データの利用のために、画像処理部７は、復元できない画像処理を行わない（予め定められた種類の画像処理のみを行う）。具体的には、画像処理部７は、例えば、色変換やズームやフィルターの画像処理を行わない。一方、例えば、画像処理部７は、γ補正やシェーディング補正などの画質を補正し、高める画像処理を行うと定められる。
【０１２６】
例えば、コピーや画像データの送信などの通常のスキャンでは、操作パネル３での設定に応じて、画像データに対し、各種画像処理が行われる。例えば、白黒２値での読み取りやグレースケールでの読取が指示された場合、白黒でコピーを行う場合、ＦＡＸ送信を行う場合など画像処理部７は、ジョブの種類や操作パネル３での設定に応じて、各イメージセンサーで読み取りで得られたカラーの画像データを変換して、白黒２値やグレースケールの画像データを自動的に生成する。
【０１２７】
一方、ログアウトスキャンで得られた画像データをどのように用いるかログアウトスキャンの時点では不明である。そして、白黒２値やグレースケールの画像データを生成すると、使用者がカラーの画像データの印刷や送信を行いたくても、カラー画像への復元はできない。そこで、本実施形態のログアウトスキャンでは、カラーの画像データのままで記憶とするため、画像処理部７は、ログアウトスキャンにより生成された画像データに対し、白黒２値やグレースケールの画像データへの変換を行わない。
【０１２８】
又、例えば、コピーや画像データの送信などの通常のスキャンでは、原稿のサイズや読み取りで得られる画像データのサイズにあわせ、操作パネル３での設定に応じて、あるいは自動的に、ズーム（拡大・縮小）の画像処理部７が行われる。例えば、Ａ４の原稿を読み取って２ｉｎ１の集約印刷を行う場合などでは、画像処理部７は、各イメージセンサーで読み取りで得られた画像データを縮小する。
【０１２９】
一方、ログアウトスキャンで得られた画像データをどのように（どのサイズで）用いるかログアウトスキャンの時点では不明である。そして、拡大、縮小を行った画像データは、元の画像データへの復元はできない。そこで、本実施形態のログアウトスキャンでは、読み取りのときの画像データのサイズのままで記憶するため、画像処理部７は、ログアウトスキャンにより生成された画像データに対し、ズームの画像処理を行わない。
【０１３０】
又、例えば、コピーや画像データの送信などの通常のスキャンでは、原稿の種類（文字原稿や写真原稿）にあわせ、操作パネル３での設定に応じて、あるいは自動的に、フィルターの画像処理が行われることがある。例えば、文字原稿の場合、エッジ（濃淡が急激に変化している部分）を強調し、鮮やかさを出すため、画像データに対して、微分フィルターの画像処理がなされることが多い。一方、写真原稿の場合、色が滑らかに変化するように（美しいグラデーションとなるように）、平滑化し、画像データに対して、隣接する画素間の濃度差を減らす積分フィルターの画像処理がなされることが多い。
【０１３１】
一方、ログアウトスキャンで得られた画像データをどのように加工すべきかは、原稿の種類の設定のないログアウトスキャンの時点では不明である。そして、フィルターの画像処理を行った画像データは、元の画像データへの復元はできない。そこで、本実施形態のログアウトスキャンでは、読み取りのときの画像データのサイズのままで記憶するため、画像処理部７は、ログアウトスキャンにより生成された画像データに対し、ズームの画像処理を行わない。
【０１３２】
このように、本実施形態の複合機１００では、画像処理部７は、ログアウトスキャンで得られた画像データに対し、通常のスキャン（ログアウトスキャンでないスキャン）でなされる画像処理のうち、予め定められた種類の画像処理を行わない。これにより、使用者は、再利用しやすい画像データを得ることができる。
【０１３３】
（ログアウトスキャンで得られた画像データの利用）
次に、図１１及び図１２を用いて、本実施形態の複合機１００のログアウトスキャンで得られた画像データの利用について説明する。図１１は、共有フォルダ画面Ｓ４の一例を示す説明図である。図１２は、画像処理設定画面Ｓ５の一例を示す説明図である。
【０１３４】
上述のように、複合機１００の記憶部６５（例えば、ＨＤＤ６４）には、共有の記憶領域（共有フォルダ６６）が設けられる。そして、本実施形態の複合機１００でログアウトスキャンにより得られた画像データは、共有フォルダ６６に記憶される。
【０１３５】
外部のコンピューター２００から複合機１００の通信部８を介して、共有フォルダ６６にアクセスすることにより、各コンピューター２００は、ログアウトスキャンにより得られた画像データをダウンロードすることができる。又、操作パネル３を操作して、ログアウトスキャンにより得られた画像データを用いてジョブを行うことができる。
【０１３６】
例えば、図１１は、操作パネル３で共有フォルダ６６を開いたときに表示される共有フォルダ画面Ｓ４の一例である。本実施形態の複合機１００は、読取部１０１の読み取りで得られた画像データを記憶部６５のＨＤＤ６４に記憶、蓄積させておく機能（ボックス機能）を有する。記憶部６５のＨＤＤ６４の一部の記憶領域は、画像データ記憶用に割り当てられている。このボックス機能で割り当てられる記憶領域の１種として、共有フォルダ６６用の記憶領域がＨＤＤ６４に設けられる。
【０１３７】
そして、使用者が共有フォルダ６６内の画像データを用いるとき、操作パネル３を操作して共有フォルダ画面Ｓ４を表示させる。例えば、使用者は、ボックスキーを押し、液晶表示部３１に表示されたフォルダの一覧から共有フォルダ６６を選択する。これにより、図１１に示すような共有フォルダ画面Ｓ４が表示される。
【０１３８】
共有フォルダ画面Ｓ４には、共有フォルダ６６に記憶された画像データを一覧として表示する一覧表示リストＳ４１が設けられる。一覧表示リストＳ４１には、共有フォルダ６６に記憶されたデータ名や記憶された日時等が表示される。尚、ログアウトスキャンの場合、画像データは、例えば、スキャンされた日時に基づくデータ名が自動的に付された上で、記憶部６５に記憶される。
【０１３９】
そして、一覧表示リストＳ４１の左端部分には、チェックボックスＣＢが設けられる。使用者はチェックボックスＣＢを押して用いる画像データを指定することができる。又、一覧表示リストＳ４１の下方には、共有フォルダ６６に蓄積された画像データに対して操作を行うためのキーが複数表示される。例えば、キーとして画像処理キーＫ１２が設けられる。
【０１４０】
ここで、上述のように、本実施形態の複合機１００では、ログアウトスキャンでは、デフォルトで原稿の両面の読み取りが行われる。又、ログアウトスキャンでは、一部の画像処理はなされない状態で記憶部６５に記憶される。
【０１４１】
そこで、本実施形態の共有フォルダ画面Ｓ４では、実施されなかった画像処理のうち、使用者が所望する画像処理を行えるように、画像処理キーＫ１２が設けられる。例えば、画像処理キーＫ１２が押されると、表示制御部３０は、図１２に示すように、画像処理設定画面Ｓ５を液晶表示部３１に表示させる。
【０１４２】
画像処理設定画面Ｓ５には、奇数ページ削除キーＫ１３や偶数ページ削除キーＫ１４が設けられる。奇数ページ削除キーＫ１３は、両面読取で得られた画像データのうち、奇数ページを削除するときに押される。又、偶数ページ削除キーＫ１４は、両面読取で得られた画像データのうち、偶数ページを削除するときに押される。
【０１４３】
画像処理設定画面Ｓ５の実行キーＫ１５が押されたとき、奇数ページ削除キーＫ１３や偶数ページ削除キーＫ１４が押されていれば（選択されていれば）、表示制御部３０は、対象となる画像データ名と奇数ページ又は偶数ページを削除すべき旨を主制御部６に通知する。この通知を受け、主制御部６は、画像処理部７に対象となる画像データから、奇数ページ又は偶数ページを削除させる。
【０１４４】
又、画像処理設定画面Ｓ５には、カラー変換用の変換無しキーＫ１６、グレーキーＫ１７、白黒２値キーＫ１８が設けられる。変換無しキーＫ１６は、ログアウトスキャンで得られた画像データをカラーのままとするときに押される。グレーキーＫ１７は、ログアウトスキャンで得られた画像データをグレースケールとするときに押される。又、白黒２値キーＫ１８は、ログアウトスキャンで得られた画像データを白黒２値とするときに押される。
【０１４５】
画像処理設定画面Ｓ５の実行キーＫ１５が押されたとき、変換無しキーＫ１６、グレーキーＫ１７、白黒２値キーＫ１８のうち、押された（選択された）キーに応じて、表示制御部３０は、対象となる画像データ名と画像データの色の形式（カラー、グレースケール、白黒２値）を主制御部６に通知する。この通知を受け、主制御部６は、グレースケールや白黒２値とすべきとき、対象となるカラーの画像データを変換する処理を画像処理部７に行わせる。
【０１４６】
又、画像処理設定画面Ｓ５には、ズーム処理を行うためのズーム設定欄Ｓ５１が設けられる。使用者は、ズーム処理を行うとき、所望の倍率をテンキー部３３等を用いて入力する。
【０１４７】
画像処理設定画面Ｓ５の実行キーＫ１５が押されたとき、ズーム設定欄Ｓ５１に倍率が入力されていれば、表示制御部３０は、対象となる画像データ名とズーム処理での倍率を主制御部６に通知する。この通知を受け、主制御部６は、対象となる画像データのズーム処理を画像処理部７に行わせる。
【０１４８】
又、画像処理設定画面Ｓ５には、原稿の画質に応じた画像処理を行うため文字原稿キーＫ１９や写真原稿キーＫ２０が設けられる。文字原稿キーＫ１９は、ログアウトスキャンで読み取った原稿が文字原稿のときに押される。写真原稿キーＫ２０は、ログアウトスキャンで読み取った原稿が写真原稿のときに押される。
【０１４９】
画像処理設定画面Ｓ５の実行キーＫ１５が押されたとき、押された（選択された）文字原稿キーＫ１９、写真原稿キーＫ２０に応じて、表示制御部３０は、対象となる画像データ名と原稿の種類を主制御部６に通知する。この通知を受け、主制御部６は、文字原稿の場合、対象となるカラーの画像データに微分フィルター（エッジ強調化）の画像処理を画像処理部７に行わせる。又、主制御部６は、写真原稿の場合、対象となるカラーの画像データに積分フィルター（平滑化）の画像処理を画像処理部７に行わせる。
【０１５０】
このように、画像処理設定画面Ｓ５では、ログアウトスキャンにより得られた画像データに対し、使用者が所望する画像処理を施して、使用者が所望する状態に画像データを加工することができる。
【０１５１】
又、図１１に示すように、共有フォルダ画面Ｓ４には、削除キーＫ２１、印刷キーＫ２２、送信キーＫ２３などが設けられる。
【０１５２】
削除キーＫ２１は、共有フォルダ６６に記憶される画像データのうち、選択した（チェックを入れた）画像データを削除するときに押される。削除キーＫ２１が押されると、表示制御部３０は、主制御部６に向けてチェックが入れられた画像データを記憶部６５から削除すべき旨を通知する。この通知を受けて、主制御部６は、チェックが入れられた画像データを記憶部６５から削除する。これにより不要な画像データを共有フォルダ６６から削除することができる。
【０１５３】
又、印刷キーＫ２２は、共有フォルダ６６に記憶される画像データのうち、選択した（チェックを入れた）画像データを印刷するときに押される。印刷キーＫ２２が押されると、例えば、表示制御部３０は、印刷に関して設定用の画面（不図示）などを表示する。そして、例えば、スタートキー３４が押されると、表示制御部３０は、チェックが入れられた画像データに基づく印刷を行うべき旨や、印刷での設定内容を主制御部６に通知する。この通知を受けて、主制御部６は、チェックが入れられた画像データに基づき、エンジン制御部５ｄに印刷を行わせる。このとき、必要に応じて画像処理部７が画像データの画像処理を行う。これにより、ログアウトスキャンにより得られた画像データに基づき印刷を行わせることができる。
【０１５４】
又、送信キーＫ２３は、共有フォルダ６６に記憶される画像データのうち、選択した（チェックを入れた）画像データを送信するときに押される。送信キーＫ２３が押されると、例えば、表示制御部３０は、送信先のアドレス（宛先）を設定するための画面（不図示）などを表示する。そして、例えば、スタートキー３４が押されると、表示制御部３０は、チェックが入れられた画像データに基づき送信を行うべき旨や送信での各種設定（例えば、宛先のアドレス）を主制御部６に通知する。この通知を受けて、主制御部６は、チェックが入れられた画像データに基づき、通信部８から画像データの送信を行わせる。このとき、必要に応じて画像処理部７が画像データの画像処理を行う。これにより、ログアウトスキャンにより得られた画像データに基づき画像データの送信を行わせることができる。
【０１５５】
尚、印刷キーＫ２２や送信キーＫ２３が押されたとき、表示制御部３０は、図１２に示すような画像処理設定画面Ｓ５を液晶表示部３１に表示させてもよい。これにより、行われていない画像処理について、使用者に画像処理の設定を行わせることができる。
【０１５６】
又、図１２に示すような画像処理設定画面Ｓ５は、ログアウトスキャンの画像データを複合機１００からダウンロードしたコンピューター２００のディスプレイに表示されても良い。例えば、複合機１００を利用するためのドライバプログラムに、画像処理のプログラムや、画像処理設定画面Ｓ５の画像データを含めておく。そして、コンピューター２００で、複合機１００と同様に、奇数ページや偶数ページの一括削除や、色変換や、ズームや、原稿画質に応じたフィルター処理といった画像処理を行えるようにしてもよい。従って、コンピューター２００（情報処理装置）と複合機１００により画像読取システム４００が構成されているともいえる。
【０１５７】
このようにして、本実施形態の画像読取装置（複合機１００）は、原稿の読み取りを行って画像データを生成する読取部１０１と、共有の記憶領域である共有領域（共有フォルダ６６）を含む記憶部６５と、ログアウト状態では使用者を識別して認証するための識別情報の入力を受け付け、使用者を認証できたときログイン状態となり、ログイン状態では画像読取装置の機能を利用するための設定入力と機能の実行入力を受け付け、予め定められた条件が満たされるとログアウト状態となり、又、読取部１０１のスキャンの実行指示を受け付けるためのスキャン開始キーＫ７を含む操作部（操作パネル３）と、を有し、読取部１０１は、ログアウト状態でスキャン開始キーＫ７が押されたとき、原稿の読み取りを行って画像データを生成するログアウトスキャンを行い、記憶部６５は、共有領域にログアウトスキャンにより生成された画像データを記憶する。これにより、ログアウト状態でもログインのための入力や記憶先や設定先などの各種設定を操作部に入力すること無しに、スキャン開始キーＫ７を押すだけでスキャンを開始することができる。又、読取部１０１により得られた原稿の画像データは、共有領域に記憶されるので、使用者を特定したり、記憶先や設定先を設定する必要もない。従って、使用前の認証を行う（ログインする必要がある）画像読取装置であっても、スキャン開始キーＫ７のワンタッチ動作のみでスキャンを開始でき、画像読取装置の操作部に対する入力の作業時間を最短化することができる。そのため、画像読取装置を使用したい次の使用者の待ち時間が極めて短くなり、画像読取装置の稼働率が向上し、オフィスでの生産性が高まる。
【０１５８】
又、両面読取可能な画像読取装置（複合機１００）では、ログアウト状態でスキャン開始キーＫ７が押されたとき、原稿の両面読取を行いたい使用者もいる。そこで、画像読取装置の読取部１０１は、原稿の両面を読み取りを行うための両面読取機構（原稿搬送部２、第２イメージセンサー２１等）を有し、ログアウトスキャンでは、両面読取機構を用いて原稿の両面の読み取りを行って、原稿の両面の画像データを生成し、記憶部６５は、生成された原稿の両面の画像データを共有領域（共有フォルダ６６）に記憶する。これにより、ログアウト状態でもスキャン開始キーＫ７を押すだけで、複雑な設定を行うことなく原稿の両面読取を行うことができる。
【０１５９】
又、本発明の両面読取可能な画像読取装置（複合機１００）では、ログアウト状態でスキャン開始キーＫ７が押されたとき原稿の両面読取がなされるが、片面のみの読み取りを行いたい使用者もいる。そこで、画像データに対して画像処理を行う画像処理部７を含み、操作部（操作パネル３）は、記憶部６５に記憶された両面の画像データのうち、何れか１方の面のページを除去する入力を受け付け、画像処理部７は、記憶部６５に記憶された両面の画像データから、操作部に除去すると入力された面のページを一括して除去した画像データを生成する。これにより、原稿の両面読取で得られた画像データのうち、一方の面を指定するだけで、原稿の片面のみを読み取った画像データを得ることができる。従って、複雑な操作を行うことなく、片面のみの画像データを得ることができ、使いやすい画像読取装置を提供することができる。
【０１６０】
又、画像読取装置（複合機１００）は、外部の情報処理装置（コンピューター２００）と通信を行うための通信部８を有し、記憶部６５は、通信部８を介した外部の情報処理装置からの共有領域（共有フォルダ６６）に記憶された画像データへのアクセスを受け付ける。これにより、ログアウトスキャンを行った使用者は、ログアウトスキャンにより得られた画像データを自己の情報処理装置に取り込むことができる。言い換えると、画像読取装置で送信先を設定し、自己の情報処理装置にログアウトスキャンにより得られた画像データを送信するといった入力、設定作業を画像読取装置で行わずに済む。従って、画像読取装置の前での入力、設定作業を行う時間を減らすことができ、画像読取装置の稼働率が向上し、オフィスでの生産性が高まる。
【０１６１】
又、画像処理部７は、ログアウトスキャンにより生成された画像データを記憶部６５に記憶するとき、画像データに対して、ログイン状態で読取部１０１が生成した画像データに対して施す複数種の画像処理のうち実行すると情報が復元できない予め定められた種類の画像処理を行わず、記憶部６５は、予め定められた種類の画像処理が施されていない画像データを共有領域（共有フォルダ６６）に記憶する。これにより、ログアウトスキャンにより得られた画像データを再加工可能な状態で記憶させることができる。従って、使用者は、ログアウトスキャンで得られた画像データを所望の状態に加工できる。
【０１６２】
又、カラーの画像データを一度グレーや白黒２値の画像データに変換すると、カラーの情報は失われ、元に戻すことはできない。そこで、読取部１０１は、カラーの画像データを生成し、画像処理部７は、ログアウトスキャンにより生成された画像データを記憶部６５に記憶するとき、画像データに対してグレー又は白黒２値の画像データとする画像処理を行わない。これにより、ログアウトスキャンでも、カラーの画像データを所望する使用者に対し、カラーの画像データを提供することができる。尚、グレーや白黒２値の画像データを所望する使用者は、カラーの画像データを変換すればよい。
【０１６３】
又、画像データに対して拡大、縮小の画像処理を施すと、元に戻すことはできないことがある。そこで、画像処理部７は、ログアウトスキャンにより生成された画像データを記憶部６５に記憶するとき、画像データに対してズームの画像処理を行わない。これにより、使用者が後に画像処理を施せるように、使用者に対してオリジナルの画像データを提供することができる。
【０１６４】
又、画像データに対してフィルター処理（例えば、微分フィルターや積分フィルターなど）を施すと、元の画像データに戻すことはできない。そこで、画像処理部７は、ログアウトスキャンにより生成された画像データを記憶部６５に記憶するとき、画像データに対して、フィルターをかける画像処理を行わない。
【０１６５】
この構成によれば、画像処理部７は、ログアウトスキャンにより生成された画像データに対して、フィルターをかける画像処理を行わない。これにより、使用者が後に画像処理を施せるように、使用者に対してオリジナルの画像データを提供することができる。
【０１６６】
又、操作部（操作パネル３）は、グレー又は白黒２値への色変換処理、ズーム処理、フィルター処理の何れか１つ又は複数を含む画像処理を行う指示入力を受け付け、画像処理部７は、記憶部６５に記憶された画像データに対して、操作部に指示入力された内容で画像処理を施す。これにより、使用者がログアウトスキャンの後、例えば、誰も画像読取装置（複合機１００）を利用していないときなどに、ログアウトスキャンされたデータに対して画像処理を施すことができる。
【０１６７】
又、スキャンする面数が多いので、片面よりも両面を読み取る方が読取開始から完了までの時間が長くなることがある。読取時間の長短は、生産性に影響がある。又、使用者は片面のみの読取を希望する場合もある。そこで、読取部１０１は、操作部（操作パネル３）に設けられるキーの押下に応じ、原稿の片面を読み取るか、原稿の両面を読み取るかを切り替える。これにより、生産性の向上を図りつつ、使用者の意図に沿ったログアウトスキャンを行えるようにすることができる。
【０１６８】
又、解像度が高いほど、読取開始から完了までの時間が長くなる。読取時間の長短は、生産性に影響がある。又、使用者は低解像度での読取で十分と考えている場合もある。そこで、読取部１０１は、操作部（操作パネル３）に設けられるキーの押下に応じ、読み取りでの解像度を切り替える。これにより、生産性の向上を図りつつ、使用者の意図に沿ったログアウトスキャンを行えるようにすることができる。
【０１６９】
又、本発明は、画像読取システム４００の発明と捉えることもできる。具体的に、画像読取システム４００は、画像読取装置（複合機１００）と、画像読取装置と通信可能に接続された情報処理装置（コンピューター２００）とを含み、画像読取装置は、画像データを生成する読取部１０１と、画像データを記憶するとともに、共有の記憶領域である共有領域（共有フォルダ６６）を含む記憶部６５と、ログアウト状態ではログインを行うための認証情報の入力を受け付け、使用者を認証できたときログイン状態となり、ログイン状態では画像読取装置の機能を利用するための設定入力と機能の実行入力を受け付け、予め定められた条件が満たされるとログアウト状態となり、又、読取部１０１のスキャンの実行指示を受け付けるためのスキャン開始キーＫ７を含む操作部（操作パネル３）と、を有し、読取部１０１は、ログアウト状態でスキャン開始キーＫ７が押されたとき、原稿の読み取りを行って画像データを生成するログアウトスキャンを行い、記憶部６５は、共有領域にログアウトスキャンにより生成された画像データを記憶し、情報処理装置は、共有領域に記憶された画像データを取得し、取得した画像データに対し、画像処理を行う。この構成によれば、上記の画像読取装置（複合機１００）と同様に、使用前の認証を行う（ログインする必要がある）画像読取装置であっても、スキャン開始キーＫ７のワンタッチ動作のみでスキャンを開始でき、画像読取装置の操作部（操作パネル３）に対する認証を受けるための入力などの作業時間を最短化することができる。又、ログアウトスキャンを行った使用者は、ログアウトスキャンにより得られた画像データを自己の情報処理装置（コンピューター２００）に取り込み、各種の画像処理を情報処理装置で行うことができる。
【０１７０】
又、本発明の実施形態を説明したが、本発明の範囲はこれに限定されるものではなく、発明の主旨を逸脱しない範囲で種々の変更を加えて実施することができる。
【産業上の利用可能性】
【０１７１】
本発明は、認証機能を備えた画像形成装置に利用可能である。
【符号の説明】
【０１７２】
１００  複合機（画像読取装置）          ２００  コンピューター（情報処理装置）
４００  画像読取システム                １０１  読取部
１      画像読取部                      ２      原稿搬送部（両面読取機構）
２１    第２イメージセンサー（両面読取機構）
３      操作パネル（操作部）            ６４    ＨＤＤ
６５    記憶部                          ６６    共有フォルダ（共有領域）
７      画像処理部                      ８      通信部
Ｋ７    スキャン開始キー
【図１】
0005476340.tif 000002
【図２】
0005476340.tif 000003
【図３】
0005476340.tif 000004
【図４】
0005476340.tif 000005
【図５】
0005476340.tif 000006
【図６】
0005476340.tif 000007
【図７】
0005476340.tif 000008
【図８】
0005476340.tif 000009
【図９】
0005476340.tif 000010
【図１０】
0005476340.tif 000011
【図１１】
0005476340.tif 000012
【図１２】
0005476340.tif 000013